(57)【要約】【課題】  受信側の対話装置が受け付ける言語データ及び映像データから推定される送信元の利用者の素性を隠蔽し、利用者の秘匿性保護の向上を図る。【解決手段】  属性情報別に共通語情報と対応づけされた属性語句データ群を保持した属性語句データ保持部と、共通語情報別に自己の備える属性情報群が対応付けられている共通語・属性対応テーブルとを設け、対話装置から言語データと属性情報とを受け付ける及びネットワーク経由で送信された言語データを出力する入出力制御部と、入力された言語データを属性情報に基づいて、属性語句データ保持部から属性語句データ群を参照し、構文解析するデータ解析部と、得られた解析語句データが変換対象であるか否かを判定し、変換対象とされた解析語句データを変換指示に基づいて、変換し、変換言語データを作成するデータ変換部と、変換言語データをネットワークを介して接続された対話装置に送信するデータ通信部とを備えることにより、一方の対話装置から出力される言語データ及び映像データの変換を行う。【選択図】        図１
2005258597.tif 000002
【特許請求の範囲】
【請求項１】
ネットワークを介して接続された対話装置において、
語句を分類するための属性情報別に共通語情報と対応づけされた属性語句データ群を保持した属性語句データ保持部と、
共通語情報別に保持し得る属性情報が対応付けされている共通語・属性対応テーブルと、
送信すべき言語データと変換指示する属性情報とを入力するための入力手段と、
前記入力された言語データを解析して複数の解析語句データに区分すると共に前記属性語句データ保持部を参照して前記各解析語句データに対応する共通語情報を検索するデータ解析部と、
前記共通語・属性対応テーブルを参照して前記各共通語情報が前記変換指示属性情報と同一の属性情報を保持していると、該属性情報に基づいて、前記属性語句データ保持部を検索して前記各共通語情報と同義の属性語句データを取り込み、前記各解析語句データを該各属性語句データに変換して変換言語データを生成するデータ変換部と、
該変換言語データを前記ネットワークを介して相対側の対話装置へ送信するデータ通信部と、
を含むことを特徴とする対話装置。
【請求項２】
請求項１記載の対話装置において、
属性情報と対応づけされた映像データを保持する映像データ保持部と、
前記映像データ保持部から変換指示属性情報に基づいて、対応する映像データを選択し、自己映像データを該映像データに変換する映像データ変換手段と、
を備えることを特徴とする対話装置。
【請求項３】
ネットワークを介して接続された対話装置に、語句を分類するため属性情報別に共通語情報と対応づけられた属性語句データ群を保持する属性語句データ保持部と、前記各共通語情報に保持し得る属性情報が対応付けられた共通語・属性対応テーブルを設け、
入力手段により送信すべき言語データと変換指示する属性情報とを入力する工程と、
入力された言語データを解析して複数の解析語句データに区分する工程と、
前記属性語句データ保持部を参照して、前記各解析語句データに対応する共通語情報を検索する工程と、
前記共通語・属性対応テーブルを参照して、前記各共通語情報が前記変換指示属性情報と同一の属性情報を保持しているか否かを判定する工程と、
前記共通語情報が前記同一の属性情報を保持していると、該属性情報に基づいて、前記属性語句データ保持部を検索して、前記共通語情報と同義の属性語句データを取り込む工程と、
前記解析語句データを前記属性語句データに変換して、変換言語データを生成する工程と、
該変換言語データを前記ネットワークを介して相手側の対話装置へ送信する工程とを含むことを特徴とする対話装置の言語データ変換方法。
【発明の詳細な説明】
【技術分野】
【０００１】
本発明は、受信側の対話装置にネットワークを介して接続された対話装置に関し、送信するデータの変換を行うことにより、受信側の対話装置の利用者が、送信されたデータから送信元の利用者の素性を推定することを防ぎ、送信元の利用者の秘匿性保護を可能とした対話装置に関する。
【背景技術】
【０００２】
ネットワークを介して接続され、言語データや映像データといった多重媒体データを利用し、データ通信を行う対話装置として、テレビ電話や電子掲示板が知られている。上記のような対話装置において、テキストデータを音声データに変換する場合、韻律情報を利用している。この韻律情報は、テキストデータのみから推定される韻律情報であり、その韻律情報による音声データへの変換では、自然性の高い音声データの合成はできなかった。
【０００３】
そこで、上記の問題の対応策として、特許文献１に記載されている対話装置では、テキストデータから推定される韻律情報に加え、実際の音声データを分析して推定された個人性情報及び韻律情報を付加的韻律情報とし、それらを音声データの合成の際に利用することで、より自然性の高い音声データ合成を実現していた。
【特許文献１】特開平１０−３２０１７０号公報
【発明の開示】
【発明が解決しようとする課題】
【０００４】
ところで、上記のような対話装置には、次のような解決すべき課題があった。即ち、一方の対話装置からネットワークを介して言語データ及び自己の映像データを他方の対話装置に出力した場合、受信側の対話装置では、送信元の対話装置から送信された言語データがそのまま出力され、また、自己の映像データは、送信元の対話装置から送信された映像データがそのまま再生されてしまう。このため、受信側の対話装置の利用者は、送信元の対話装置から送信されたデータから性別、年代、地方性といった送信元の対話装置の利用者の素性を容易に推定することが可能であった。従って、受信側の対話装置の利用者が悪意を持った者であった場合には、受信データから推定される女性や子供のような利用者に対して、中傷を行ったり、または、それらの利用者のデマ情報を流したりといった悪質な行為がなされてしまう虞れがあった。そのため、利用者の秘匿性保護を行うことができる対話装置の開発が要望されていた。
【０００５】
従って、本発明は、ネットワークを介して接続された対話装置において、データ送信を行う場合に、言語データ及び映像データの変換を行うことにより、送信元の利用者の素性を隠蔽し、利用者の秘匿性保護の向上を図ることができる対話装置を提供することを目的とする。
【課題を解決するための手段】
【０００６】
本発明は、以上の点を解決するために、次の構成を採用する。
<構成１>
【０００７】
本発明は、ネットワークを介して接続された対話装置において、語句を分類するための属性情報別に共通語情報と対応づけされた属性語句データ群を保持した属性語句データ保持部と、共通語情報別に保持し得る属性情報が対応付けされている共通語・属性対応テーブルと、送信すべき言語データと変換指示する属性情報とを入力するための入力手段と、前記入力された言語データを解析して複数の解析語句データに区分すると共に前記属性語句データ保持部を参照して前記各解析語句データに対応する共通語情報を検索するデータ解析部と、前記共通語・属性対応テーブルを参照して前記各共通語情報が前記変換指示属性情報と同一の属性情報を保持していると、該属性情報に基づいて、前記属性語句データ保持部を検索して前記各共通語情報と同義の属性語句データを取り込み、前記各解析語句データを該各属性語句データに変換して変換言語データを生成するデータ変換部と、該変換言語データを前記ネットワークを介して相対側の対話装置へ送信するデータ通信部と、を含むことを特徴とする。
【０００８】
<構成２>
構成１における対話装置であって、属性情報と対応づけされた映像データを保持する映像データ保持部と、前記映像データ保持部から変換指示属性情報に基づいて、対応する映像データを選択し、自己映像データを該映像データに変換する映像データ変換手段と、
を備えることを特徴とする。
【０００９】
<構成３>
対話装置の言語データ変換方法であって、ネットワークを介して接続された対話装置に、語句を分類するため属性情報別に共通語情報と対応づけられた属性語句データ群を保持する属性語句データ保持部と、前記各共通語情報に保持し得る属性情報が対応付けられた共通語・属性対応テーブルを設け、入力手段により送信すべき言語データと変換指示する属性情報とを入力する工程と、入力された言語データを解析して複数の解析語句データに区分する工程と、前記属性語句データ保持部を参照して、前記各解析語句データに対応する共通語情報を検索する工程と、前記共通語・属性対応テーブルを参照して、前記各共通語情報が前記変換指示属性情報と同一の属性情報を保持しているか否かを判定する工程と、前記共通語情報が前記同一の属性情報を保持していると、該属性情報に基づいて、前記属性語句データ保持部を検索して、前記共通語情報と同義の属性語句データを取り込む工程と、前記解析語句データを前記属性語句データに変換して、変換言語データを生成する工程と、該変換言語データを前記ネットワークを介して相手側の対話装置へ送信する工程とを含むことを特徴とする対話装置の言語データ変換方法。
【発明の効果】
【００１０】
本発明によれば、属性情報別に共通語情報と対応づけされた属性語句データ群を保持した属性語句データ保持部と、共通語情報別に自己の備える属性情報群が対応付けられている共通語・属性対応テーブルとを設け、入力端末から言語データとその属性情報とを受け付けると、受け付けた言語データを変換したテキストデータと属性情報とを転送して、入力されたテキストデータをテキストデータの属性情報に基づいて、属性語句データ保持部から属性語句データ群を参照し、解析語句データに構文解析を行うと共に該解析語句データに対応する共通語情報を取り込み、得られた解析語句データを該解析語句データと対応付けられた共通語情報及び変換指示属性情報に基づいて、変換テキストデータを生成し、該変換テキストデータをネットワークを介して接続された他の対話装置に送信し、該変換テキストデータを言語データに変換し出力することにより、例えば、女性が入力した言語データを、男性が入力したと同一の言語データに変換することができるので、受信側の対話装置が受け付ける言語データから推定される送信元の利用者の素性を隠蔽し、利用者の秘匿性保護の向上を図ることができる。
【発明を実施するための最良の形態】
【００１１】
以下、本発明の実施の形態を図１〜９を用いて詳細に説明する。
【実施例１】
【００１２】
図１は、本発明の一実施形態が適用された対話装置のブロック構成図である。この対話装置２は、通信ネットワーク９を介して、他の対話装置１０と接続されている。この対話装置２は、キーボード等の入力端末及びモニタ等の出力端末を備えている。また、対話装置２は、更に入出力制御部１、データ解析部３、データ変換部４、言語情報保持部５、及びデータ通信部８とを備えている。
【００１３】
入出力制御部１は、キーボード等の入力端末より、テキストデータを入力すると、該データをデータ解析部３に転送する入力制御部１Ａと、ネットワークを経由して受信したテキストデータ等をモニタ等の出力端末に出力する出力制御部１Ｂとを有している。出力制御部１Ｂは、テキストデータの入力が終了すると、出力端末を制御して該データの属性情報を入力する画面及び変換すべき属性情報を指示する画面を表示させる。
【００１４】
図２は、属性情報の例である。即ち、属性情報としては、「東京弁」及び「関西弁」等の方言を示す属性情報、「若者」及び「老人」等の年齢を示す属性情報、「男性」及び「女性」等の性別を示す属性情報などが選択可能に表示される。
【００１５】
言語情報保持部５は、属性語句データ保持部６及び共通語情報と属性情報とを対応付けた共通語・属性対応テーブル７から構成されている。属性語句データ保持部６は、属性情報別に共通語情報と対応付けされた属性語句データ群を保持している。図３は、属性語句データ群のうち「関西弁」の属性を持つ属性語句データの例である。「関西弁」の属性語句データ「どないです」、「ええ」という表現に対して、それぞれ「どうですか」、「よい」といった共通語情報が対応付けられている。
【００１６】
また、共通語・属性対応テーブル７は、共通語情報別に自己の備える属性情報群が対応付けられている。図４は、「良い」という共通語情報に対する属性情報の例であり、各属性情報である「東京弁」、「関西弁」及び「老人」に対応する「良い」と同義な属性語句データを属性語句データ保持部６が保持していることを表している。
【００１７】
データ解析部３は、入出力制御部１からテキストデータを受け付けると、利用者が選択入力した属性情報に基づいて、属性語句データ保持部６の属性語句データ情報群を参照し、該テキストデータの解析を行い、解析結果で得られた各語句データ及び対応する共通語情報をデータ変換部４に転送する。例えば、語句データ「ええ」及び共通語情報「よい」を転送する。
【００１８】
データ変換部４は、データ解析部３から得られる語句データ毎に対応する共通語情報を検索子として共通語・属性対応テーブル７を検索し、共通語情報の保持する属性情報を取り込み、変換指定の属性情報が取り込んだ属性情報中に存在するか否かを判定し、存在する場合、属性語句データ保持部６において変換指示の属性情報に区分された属性語句データ群の中から共通語情報に対応する属性語句データを抽出し、抽出した属性語句データから変換テキストデータを生成し、変換テキストデータをデータ通信部８に転送する。また、変換指定の属性情報が取り込んだ属性情報中に存在しない場合、語句データは変換されることなく、そのまま変換テキストデータ生成に利用され、データ通信部８に転送される。尚、名詞等の属性語句データに含まれていないものも、そのまま変換することなく変換テキストデータ生成に利用するものとする。
【００１９】
データ通信部８は、データ変換部４から変換テキストデータを受け付けると、ネットワークを介して相手側の対話装置１０に対して、変換テキストデータを送信し及び相手側の対話装置１０からテキストデータを受信すると、該受信データを前記入出力制御部１に転送する。
【００２０】
次に、上記構成の対話装置２の動作について以下に説明する。
図５は、実施例１の対話装置２の動作のフローチャートである。
【００２１】
実施例１では、入力されるテキストデータは、「今日はいい天気だわ」とし、テキストデータの属性情報としては、「東京弁」、「女性」、及び「若者」が選択入力され、変換指示すべき属性情報としては、「東京弁」、「男性」、及び「若者」が入力されるものとし、従って、「女性」が入力したテキストデータは、「男性」が入力したと同一のテキストデータに変換される。
【００２２】
まず、入出力制御部１は、キーボード等の入力端末からテキストデータが入力され、かつ出力端末を介して、テキストデータの属性情報、及び変換指示の属性情報が入力されると、受け付けたデータをデータ解析部３に転送する(ステップS1)。
【００２３】
図６は、対話装置２のデータ解析の動作図である。
データ解析部３は、入出力制御部１より転送された「今日はいい天気だわ」といったテキストデータと該テキストデータの属性情報を受け付けると、該属性情報に基づいて、言語情報保持部５の属性語句データ保持部６から対応する「東京弁」、「女性」、及び「若者」といった各属性情報の属性語句データ群をそれぞれ参照し、テキストの各語句と一致する語句データを検索することで、上記のテキストデータを「今日」「は」「いい」「天気」「だわ」のように解析し、解析語句データ「今日」「は」「いい」「天気」「だわ」及び「いい」、「だわ」にそれぞれ対応する共通語情報「良い」、「です」を取得し、取得した解析語句データ及び該共通語情報をデータ変換部４に転送する(ステップS２)。尚、名詞及び助詞等の属性語句データに対応していないものは、そのまま名詞または助詞としてテキスト解析される。
【００２４】
図７は、対話装置２のデータ変換の動作図である。
実施例１では、解析語句データ「だわ」の変換処理について説明を行うこととする。
データ変換部４は、データ解析部３から転送された解析語句データである「今日」「は」「いい」「天気」「だわ」と共通語情報「です」及び、変換指示属性情報を受け付けると、解析語句データ毎に変換処理を行う。具体的には、データ変換部４は、データ解析部３にて取り込んだ、解析語句データ「だわ」に対応付けられた共通語情報「です」を検索子として、共通語・属性対応テーブル７を検索し、共通語情報「です」の保持する属性情報「関西弁」、「老人」、「男性」を取り込む。
【００２５】
そして、変換指定の属性情報「東京弁」、「若者」、「男性」が取り込んだ属性情報中に存在するか否かを判定する。本実施例１では変換指定の属性情報「男性」が取り込んだ属性情報中に存在するので、データ変換部４は、属性語句データ保持部６において変換指示の属性情報「男性」に区分の属性語句データ群の中から共通語情報「です」に対応する属性語句データ「だな」を抽出し、抽出した属性語句データ「だな」に「だわ」を変換する(ステップS３)。尚、変換指定の属性情報が、共通語情報に基づいて、共通語・属性対応テーブル７を検索し、取り込んだ属性情報中に存在しなかった場合、データ変換部４は、該解析語句データの変換は行われない。
【００２６】
すべての変換すべき解析語句データの変換を行った後、データ変換部４は、変換テキストデータ「今日はいい天気だな」を生成し、データ通信部８に出力する(ステップS４)。
【００２７】
データ通信部８は、データ変換部４から変換テキストデータ「今日はいい天気だな」を受け付けると、ネットワークを介して接続されている他の対話装置１０の入出力制御部に該変換テキストデータを送信する(ステップS５)。
【００２８】
他の対話装置１０の入出力制御部は、データ通信部８から送信された変換テキストデータ「今日はいい天気だな」を自らが備えている出力端末を介して画面に表示する(ステップS６)。
【００２９】
上記の実施例１に説明したように、属性情報別に共通語情報と対応づけされた属性語句データ群を保持した属性語句データ保持部と、共通語情報別に自己の備える属性情報群が対応付けられている共通語・属性対応テーブルとを設け、入力端末からテキストデータとその属性情報とを受け付けると、受け付けたテキストデータと属性情報とを転送する。そして、入力されたテキストデータをテキストデータの属性情報に基づいて、属性語句データ保持部から属性語句データ群を参照し、解析語句データに構文解析を行うと共に該解析語句データに対応する共通語情報を取り込み、得られた解析語句データを該解析語句データと対応付けられた共通語情報及び変換指示属性情報に基づいて、変換テキストデータを生成し、該変換テキストデータをネットワークを介して接続された他の対話装置に送信することにより、例えば、女性が入力したテキストデータを、男性が入力したと同一のテキストデータに変換することができるので、受信側の対話装置が受け付けるテキストデータから推定される送信元の利用者の素性を隠蔽し、利用者の秘匿性保護の向上を図ることができる。
【実施例２】
【００３０】
図８は、実施例２における対話装置のブロック構成図である。
実施例２の対話装置２には、図１に示した実施例1の対話装置の入出力制御部１に、マイクロフォン等の入力端末から音声データを受け付けると、該音声データをテキストデータに変換し、データ解析部３に転送する音声認識部１Ｃと、ネットワークを経由して受信した変換テキストデータを音声データに変換し、スピーカ等の出力端末に転送する音声変換部１Ｄと、また、入出力制御部１は、出力端末画面より選択入力された変換指定の属性情報を、ネットワークを介して接続された他の対話装置１０が、受信した変換テキストデータの音声変換時に利用する韻律情報群を特定するための変換韻律特定情報としてデータ通信部８に転送する。
【００３１】
ネットワークを介した他の対話装置１０は、対話装置２から送信される変換韻律特定情報を保持する変換韻律特定情報保持部１０Ａと、変換テキストデータを受け付けると、該変換テキストデータを韻律情報に基づく音声データに変換するための、方言を示す属性情報別に各属性語句データと対応付けされた発音の高低や強弱を示した韻律情報群を保持する韻律情報保持部１０Ｂを備えている。上記の韻律情報保持部１０Ｂが保持する韻律情報群としては、「東京弁韻律情報群」や「九州弁韻律情報群」等が考えられる。これにより、変換テキストデータを受け付けると、例えば、変換韻律特定情報が「九州弁」である場合には、九州弁の特徴に基づいて韻律調整された音声データに変換することが可能となる。
【００３２】
尚、対話装置２も同様に、入出力制御部１は、データ通信部８より転送された変換韻律特定情報を保持する変換韻律特定情報保持部１Ｅを備えている。また、上記の韻律情報保持部１０Ｂが保持するような韻律情報群を言語情報保持部５に保持しており、入出力制御部１は、変換テキストデータを受け付けると、予め転送かつ保持されていた変換韻律特定情報に基づいて、該言語情報保持部５から韻律情報群を参照し、利用する韻律情報群を特定し、該変換テキストデータを特定された韻律情報に基づく音声データに変換し、変換した音声データを自らが備えている出力端末を介して出力する。
【００３３】
データ通信部８は、データ変換部４から変換テキストデータまたは入出力制御部１から変換韻律特定情報を受信すると、ネットワークを介した相手側の対話装置１０に対して、該受信データを送信し及び相手側の対話装置１０から変換テキストデータまたは変換韻律特定情報を受信すると、該受信データを前記入出力制御部１に転送する。その他のデータ解析部３、データ変換部４は、実施例１の動作と同様である。
【００３４】
次に、上記構成の対話装置の動作について以下に説明する。
図９は、実施例２の対話装置の動作のフローチャートである。
【００３５】
実施例２では、入力される音声データは、「今日はいい天気だわ」とし、音声データの属性情報としては、「東京弁」、「女性」、及び「若者」が選択入力され、変換指示すべき属性情報としては、「東京弁」、「男性」、及び「若者」が入力されるものとし、従って、「女性」が入力した音声データは、「男性」が入力したと同一の音声データに変換される。
【００３６】
まず、入出力制御部１は、マイクロフォン等の入力端末から、音声データが入力され、かつ出力端末を介して音声データの属性情報、及び変換指示の属性情報が入力されると、音声認識１Ｃにより音声データをテキストデータに変換し、変換されたテキストデータをデータ解析部３に転送する(ステップS1及びS2)。また、この際に受け付けた変換指定の属性情報は、変換韻律特定情報として，データ通信部８にも転送され、ネットワークを介して他の対話装置１０のデータ通信部に送信しておく。対話装置１０のデータ通信部は、該変換韻律特定情報を自らが備える入出力制御部に転送し、該入出力制御部は、受信した変換テキストの音声データ変換時の韻律調整処理に利用するため、該変換韻律特定情報を保持する。
【００３７】
データ解析部３は、入出力制御部１より転送されたテキストデータ「今日はいい天気だわ」とテキストデータの属性情報を受け付けると、属性情報に基づいて、言語情報保持部５の属性語句データ保持部６から対応する「東京弁」、「女性」、及び「若者」といった各属性情報の属性語句データ群をそれぞれ参照し、テキストの各語句と一致する語句データを検索することで、上記のテキストデータを「今日」「は」「いい」「天気」「だわ」のように解析し、解析語句データ及び対応する共通語情報「良い」、「です」を取得する。そして、得られた解析語句データをデータ変換部４に転送する(ステップS３)。尚、実施例１と同様に名詞及び助詞等の属性語句データに含まれていないものは、そのまま名詞または助詞としてテキスト解析される。
【００３８】
データ変換部４は、データ解析部３から転送された解析語句データ「今日」「は」「いい」「天気」「だわ」と共通語情報「です」及び、変換指示属性情報を受け付けると、解析語句データ毎に変換処理を行う。実施例２は、解析語句データ「だわ」の変換処理について説明を行うこととする。
【００３９】
データ変換部４は、データ解析部３にて取り込んだ、解析語句データ「だわ」に対応付けられた共通語情報「です」を検索子として、共通語・属性対応テーブル７を検索し、共通語情報「です」の保持する属性情報「関西弁」、「老人」、「男性」を取り込む。
【００４０】
そして、変換指定の属性情報「東京弁」、「若者」、「男性」が取り込んだ属性情報中に存在するか否かを判定する。今回は変換指定の属性情報「男性」が取り込んだ属性情報中に存在するので、引き続きデータ変換部４は、属性語句データ保持部６において変換指示の属性情報「男性」に区分の属性語句データ群の中から共通語情報「です」に対応する属性語句データ「だな」を抽出し、抽出した属性語句データ「だな」と「だわ」を変換する(ステップS４)。尚、変換指定の属性情報が、共通語情報に基づいて、共通語・属性対応テーブル７を検索し、取り込んだ属性情報中に存在しなかった場合、データ変換部４は、該解析語句データの変換は行われない。
【００４１】
すべての変換すべき解析語句データの変換を行った後、データ変換部４は、変換テキストデータ「今日はいい天気だな」を生成し、データ通信部８に出力する(ステップS５)。
【００４２】
データ通信部８は、データ変換部４から変換テキストデータ「今日はいい天気だな」を受け付けると、ネットワークを介して接続されている他の対話装置１０のデータ通信部に該変換テキストデータ「今日はいい天気だな」を送信する(ステップS６)。
【００４３】
対話装置１０のデータ通信部は、受信した変換テキストデータ「今日はいい天気だな」を自らが備える入出力制御部に転送し、該入出力制御部は、変換テキストデータ「今日はいい天気だな」を受け付けると、対話装置２から予め送信され、保持していた変換韻律特定情報を参照し、該変換韻律特定情報「東京弁」、「若者」、「男性」のうち方言を示す変換韻律特定情報「東京弁」を取り込む。
【００４４】
そして、該入出力制御部は、取り込んだ変換韻律特定情報「東京弁」に基づいて、韻律情報保持部１０Ｂから対応する方言の韻律情報を示す「東京弁韻律情報群」を参照し、参照された「東京弁韻律情報群」から変換テキストデータ「今日はいい天気だな」のテキストの各語句と一致する語句データに対応付けられた発音及び強弱等の韻律情報を特定し、テキストの各語句の方言に特有の発音及び強弱等の韻律情報を取得する。引き続き、入出力制御部は、取得した「東京弁」の各語句データと対応した発音及び強弱等の韻律情報に基づいて、変換テキストデータの各語句を東京弁に韻律調整し音声データに変換する。そして、変換された音声データをスピーカ等の自らが備える出力端末を介して出力する。(ステップS７及びS８)。
【００４５】
上記の実施例２に説明したように、属性情報別に共通語情報と対応づけされた属性語句データ群を保持した属性語句データ保持部と、共通語情報別に自己の備える属性情報群が対応付けられている共通語・属性対応テーブルとを設け、さらに、ネットワークを介して接続された他の対話装置に方言を示す属性情報別に各属性語句データと対応付けされた発音の高低や強弱を示した韻律情報群を備え、入力端末から言語データとその属性情報とを受け付けると、受け付けた言語データをテキスト変換し、得られた該テキストデータとその属性情報との転送をする。
【００４６】
そして、入力かつテキスト変換により得られたテキストデータをテキストデータの属性情報に基づいて、属性語句データ保持部から属性語句データ群を参照し、解析語句データに構文解析を行うと共に該解析語句データに対応付けられた共通語情報を取り込み、得られた解析語句データを該解析語句データに対応付けられた共通語情報及び変換指示属性情報に基づいて、変換テキストデータを生成し、該変換テキストデータをネットワークを介して接続された他の対話装置に送信し、他の対話装置が変換テキストデータを受け付けると、変換韻律特定情報に基づく韻律情報群を韻律情報保持部を参照し、特定された韻律情報に基づく音声データに変換することにより、例えば、女性が入力した音声データを、男性が入力すると同一の音声データに変換することができるので、受信側の対話装置が受け付ける言語データから推定される送信元の利用者の素性を隠蔽し、利用者の秘匿性保護の向上を図ることができる。
【００４７】
本発明は、以上の実施例に限定されない。上記の実施例１及び２は言語データの変換を行う対話装置の例で説明したが、例えば、対話装置に、新たに性別を示す属性情報と対応づけた映像データを保持する映像データ保持部と、該映像データ保持部から変換指示属性情報に基づく映像データを選択し、該映像データを自己映像データから変換する映像データ変換手段とを設けることで、言語データだけではなく、映像データの変換も行うことが可能となり、これによって、言語データ及び映像データから推定される利用者の素性を隠蔽し、利用者の秘匿性保護の向上を図ることもできるようになる。
【００４８】
また、上記の実施例１及び２の対話装置におけるデータ解析及び変換のために参照される言語情報保持部５は、RDFやオントロジー等の表現形式を使用して実現することも可能である。
【００４９】
また、上記実施例１及び２の対話装置では、名詞等の属性語句データに含まれていないものは、そのまま変換することなく変換テキストデータ生成に利用するものとしているが、例えば、属性情報「老人」における属性語句データ「アルバイト」が属性情報「若者」においては、属性語句データ「バイト」と対応付けられるように同義の属性語句データが属性情報によって異なる言い方をする場合があることを考慮し、名詞も変換対象とできるように言語情報保持部５に名詞等の属性語句データを含めた構成として実現することも可能である。
【図面の簡単な説明】
【００５０】
【図１】実施例１の対話装置のブロック構成図である。
【図２】属性情報を示す図である。
【図３】属性語句データを示す図である。
【図４】共通語・属性対応テーブルを示す図である。
【図５】実施例１の対話装置の動作フローチャートである。
【図６】実施例１の対話装置のデータ解析処理の動作図である。
【図７】実施例１の対話装置のデータ変換処理の動作図である。
【図８】実施例２の対話装置のブロック構成図である。
【図９】実施例２の対話装置の動作フローチャートである。
【符号の説明】
【００５１】
１  入出力制御部
１Ａ  入力制御部
１Ｂ  出力制御部
１Ｃ  音声認識部
１Ｄ  音声変換部
１Ｅ  変換韻律特定情報保持部
２  対話装置
３  データ解析部
４  データ変換部
５  言語情報保持部
６  属性語句データ保持部
７  共通語・属性対応テーブル
８  データ通信部
９  通信ネットワーク
１０  対話装置
１０Ａ  変換韻律特定情報保持部
１０Ｂ  韻律情報保持部
【図１】
2005258597.tif 000003
【図２】
2005258597.tif 000004
【図３】
2005258597.tif 000005
【図４】
2005258597.tif 000006
【図５】
2005258597.tif 000007
【図６】
2005258597.tif 000008
【図７】
2005258597.tif 000009
【図８】
2005258597.tif 000010
【図９】
2005258597.tif 000011